(57)【要約】【課題】コネクタハウジングを被蔽する金属板製シールドシェルに形成された接触バネ片の移動を規制してノイズ特性が劣化することのないシールドコネクタを提供する。【解決手段】コネクタハウジング１１とシールドシェル１２とから成るシールドコネクタ１０のシールドシェル１２にコ字状の方持ち状接触バネ片１２Ｓが形成され、コネクタハウジング１１には接触バネ片１２Ｓの接点が通ることのできる貫通開口が形成され、さらにコネクタハウジング１１の嵌合方向前方端部に、方持ち状接触バネ片１２Ｓの自由端側を越えた所定距離の位置で方持ち状接触バネ片１２Ｓ側にコネクタハウジング１１面と平行に延びたストッパ部を形成された接触バネ片用ストッパ１１Ｌが立設され、この接触バネ片用ストッパ１１Ｌの内側に方持ち状接触バネ片１２Ｓの自由端の移動を拘束するようにした。【選択図】図３
2011049107.tif 000002
【特許請求の範囲】
【請求項１】
コネクタハウジングと前記コネクタハウジングを被蔽する金属板製シールドシェルとから構成されるシールドコネクタであって、前記シールドシェルにはコ字状の三辺に打ち抜かれかつ打ち抜かれた三辺を内側に曲折して成る方持ち状接触バネ片が形成され、前記コネクタハウジングには前記シールドシェルの前記方持ち状接触バネ片の接点が前記コネクタハウジングの表側から裏側へ通ることのできる貫通開口が形成されたシールドコネクタにおいて、
前記コネクタハウジングの嵌合方向前方端部には、前記嵌合方向前方端部から垂直に外側に延びて前記方持ち状接触バネ片の自由端側を越えた所定距離の位置で前記方持ち状接触バネ片側に前記コネクタハウジング面と平行に延びたストッパ部を形成された接触バネ片用ストッパが立設され、
前記コネクタハウジングと前記ストッパ部の間で前記方持ち状接触バネ片の自由端の移動が拘束されていることを特徴とするシールドコネクタ。
【請求項２】
前記接触バネ片用ストッパが前記コネクタハウジングの嵌合方向に対して左右両側に立設されていることを特徴とする請求項１記載のシールドコネクタ。
【請求項３】
前記所定距離は前記方持ち状接触バネ片の自由端の移動により前記接触バネ片の接点が相手方コネクタのシールドシェルから離反する直前までの距離以下であることを特徴とする請求項１記載のシールドコネクタ。
【請求項４】
高速伝送中継用のシールドコネクタとして請求項１〜３のいずれか１項記載のシールドコネクタを用いたことを特徴とする高速伝送中継用のシールドコネクタ。
【発明の詳細な説明】
【技術分野】
【０００１】
本発明は、コネクタハウジングをシールドシェルで被蔽して成るシールドコネクタに関するものであり、特に、通信に適用される高速伝送中継用のシールドコネクタにあってコネクタ同士のシールドシェルを確実に電気的に接触させて、帯電を防止して耐ノイズ性能を確保することのできるコネクタに関するものである。
【背景技術】
【０００２】
〈従来のコネクタ〉
高速伝送中継用のコネクタとして、端子を誘電体で覆うと共にその外周囲を導電性のシールドシェルで覆ったいわゆるシールドコネクタが知られている。従来のシールドシェルは、一枚の金属板を適宜打抜き及び曲げ加工することで、筺状に形成されるのが一般的である。（特許文献１参照）
【先行技術文献】
【特許文献】
【０００３】
【特許文献１】特開２００６−２８６２２３号公報
【０００４】
図９は特許文献１記載の高速伝送中継用シールドコネクタと軌を一にするコネクタの斜視図である。図９において、１００は従来のシールドコネクタで、シールドコネクタ１００はコネクタハウジング１１０とこのコネクタハウジング１１０を被蔽するシールドシェル１２０とから構成される。コネクタハウジング１１０は内部に空間１１０Ｈが形成されており、この空間内１１０Ｈにコネクタ金属端子が収納され、このコネクタ金属端子にワイヤハーネスが接続されて、コネクタハウジング１１０の後方（相手方コネクタ２００の反対側）から外部に取り出される。相手方コネクタ２００のコネクタハウジング２１０の先端が空間１１０Ｈ内に挿入されることで、端子同士の接続が行われる。
シールドシェル１２０は１枚の金属板を打ち抜き・曲げ加工することで、コネクタハウジング１１０の外形に沿うように形成されている。
シールドシェル１２０には、内部に収納される相手方シールドコネクタ２００のシールドシェル２２０と接触できるように、金属板をコ字状（１２０Ｋ）に打ち抜き、打ち抜いた三辺を内側に曲折して成る方持ち状の接触バネ片１２０Ｓが形成されている。
また、コネクタハウジング１１０においても、接触バネ片１２０Ｓの先端の接点が相手方シールドコネクタ２００のシールドシェル２２０と接触できるように、コネクタハウジング１１０の接触バネ片１２０Ｓの部位近傍に開口が形成されている。
【０００５】
〈相手方コネクタ〉
高速伝送中継用のシールドコネクタ１００に嵌合する相手方シールドコネクタ２００はコネクタハウジング２１０とこのコネクタハウジング２１０を被蔽するシールドシェル２２０とから構成される。
コネクタハウジング２１０には内部にコネクタ金属端子が収納され、その金属端子にワイヤハーネスが接続されて、コネクタハウジング２１０の後方（シールドコネクタ１００の反対側）から外部に取り出される。コネクタ２００の先端（シールドコネクタ１００側）はコネクタハウジング１１０の内部空間１１０Ｈ内に挿入できる形状となっている。
シールドシェル２２０の側面部２２０Ｓは、嵌合時にコネクタハウジング１１０の対向部位に形成されている開口（図では見えない）を介してシールドシェル１２０の接触バネ片１２０Ｓと接触するようになる。
【０００６】
〈従来のコネクタの課題〉
図１０は、図９に示したシールドコネクタ１００と相手方シールドコネクタ２００が嵌合した状態の高速伝送中継用コネクタ３００を示す斜視図である。このとき、高速伝送中継用コネクタ３００において、シールドコネクタ１００のシールドシェル１２０の接触バネ片１２０Ｓは、コネクタハウジング１１０の開口（図に見えないが）を介して相手方シールドコネクタ２００のシールドシェル２２０の側面部２２０Ｓと接触している。
しかしながら、高速伝送中継用コネクタ３００に大きな振動が加わったりすると、接触バネ片１２０Ｓが一枚の金属板を打抜き及び曲げ加工した方持ち状の接触バネ片を形成しているため、振動等によって大きく変位して、接触バネ片先端の接触が外れて隙間を生じてしまい、ノイズ特性が劣化してしまう恐れがあった。
【０００７】
〈大きな振動が加わるとノイズ特性が劣化する理由〉
図１１は大きな振動が加わるとノイズ特性が劣化する理由を説明する図で、（ａ）は振動のない正常時、（ｂ）は大きな振動時である。
図１１（ａ）において、シールドシェル１２０の接触バネ片１２０Ｓはシールドシェル１２０の金属板からコ字状に切り欠き１２０Ｋが形成され、その切り欠き部分がシールドシェル１２０から内側に曲げ加工されて成るので金属材料の弾性によりバネ性を有し、その先端の接点Ｓ２０はシールドシェル側面部２２０Ｓに接触し、少々の振動では接点Ｓ２０はシールドシェル側面部２２０Ｓに接触したままとなる。
ところが、大きな振動Ｐがシールドシェル１２０に加わると、図１１（ｂ）のように、シールドシェル１２０の接触バネ片１２０Ｓの端部Ｓ１０が大きく外側にｔ１０と振れ、したがってその反対側先端の接点Ｓ２０はシールドシェル側面部２２０Ｓから離れたままになることとなった。接触バネ片１２０Ｓがシールドシェル２２０から離れたままになると、高速伝送中継用コネクタ３００の内部に発生した帯電電荷が接触バネ片１２０Ｓを介してシールドシェル１２０からアースへ除去されることができず、高速伝送中継用コネクタ３００の内部に電荷が増えていき、これが内部で移動することによりノイズとなってノイズ特性が劣化することとなる。
【発明の概要】
【発明が解決しようとする課題】
【０００８】
そこで、本発明はこれらの課題を解決するためになされたもので、大きな振動がシールドシェルに加わっても、その接点がシールドシェル側面部から離れないようにして、シールドシェルに生じる隙間を防止でき、したがってノイズ特性が劣化することのないシールドコネクタを提供することを目的としている。
【課題を解決するための手段】
【０００９】
このシールドコネクタに係る第１発明は、コネクタハウジングと前記コネクタハウジングを被蔽する金属板製シールドシェルとから構成されるシールドコネクタであって、前記シールドシェルにはコ字状の三辺に打ち抜かれかつ打ち抜かれた三辺を内側に曲折して成る方持ち状接触バネ片が形成され、前記コネクタハウジングには前記シールドシェルの前記方持ち状接触バネ片の接点が前記コネクタハウジングの表側から裏側へ通ることのできる貫通開口が形成されたシールドコネクタにおいて、前記コネクタハウジングの嵌合方向前方端部には、前記嵌合方向前方端部から垂直に外側に延びて前記方持ち状接触バネ片の自由端側を越えた所定距離の位置で前記方持ち状接触バネ片側に前記コネクタハウジング面と平行に延びたストッパ部を形成された接触バネ片用ストッパが立設され、前記コネクタハウジングと前記ストッパ部の間で前記方持ち状接触バネ片の自由端の移動が拘束されていることを特徴としている。
また、第２発明は、前記第１発明において、前記接触バネ片用ストッパが前記コネクタハウジングの嵌合方向に対して左右両側に立設されていることを特徴としている。
また、第３発明は、前記所定距離が、前記方持ち状接触バネ片の自由端の移動により前記接触バネ片の接点が相手方コネクタのシールドシェルから離反する直前までの距離以下であることを特徴としている。
また、第４発明は、高速伝送中継用のシールドコネクタに関するもので、高速伝送中継用のシールドコネクタとして第１〜第３発明のいずれかのシールドコネクタを用いたことを特徴としている。
【発明の効果】
【００１０】
第１発明によれば、嵌合方向前方端部から垂直に外側に延びて方持ち状接触バネ片の自由端側を越えた所定距離の位置で方持ち状接触バネ片側にコネクタハウジング面と平行に延びたストッパ部を形成された接触バネ片用ストッパをコネクタハウジングの嵌合方向前方端部に立設したので、方持ち状接触バネ片の自由端の移動がコネクタハウジングとストッパ部の間で拘束される。したがって、大きな振動がシールドシェルに加わっても方持ち状接触バネ片の接点がシールドシェル側面部から離れることがないので、常に内外のシールドシェル同士が接触状態にありノイズ特性が劣化することがない。
【００１１】
第２発明によれば、接触バネ片用ストッパがコネクタハウジングの嵌合方向に対して左右両側に立設されているので、内外のシールドシェル同士が２箇所において接触状態にあるので、ノイズ特性の劣化のおきない確実性がいっそう高まる。
【００１２】
第３発明によれば、前記所定距離が、前記方持ち状接触バネ片の自由端の移動により前記接触バネ片の接点が相手方コネクタのシールドシェルから離反する直前までの距離以下とすればよいので、設計の自由度が増すこととなる。
【００１３】
第４発明によれば、高速伝送中継用のシールドコネクタとしてノイズ特性の劣化のおきないシールドコネクタを用いるので、高速伝送の確実な中継が保証されることとなる。
【図面の簡単な説明】
【００１４】
【図１】図１は本発明の通信用シールドコネクタをシールドコネクタ側から見た斜視図である。
【図２】図２は相手方シールドコネクタ側から見た斜視図である。
【図３】図３は嵌合前のシールドコネクタと相手方シールドコネクタの斜視図である。
【図４】図４は図１に示す通信用シールドコネクタの側面図である。
【図５】図５は図４の通信用シールドコネクタのＡ−Ａ矢視図である。
【図６】図６は図５の通信用シールドコネクタの側面から見た斜視図である。
【図７】図７は図６の通信用シールドコネクタの点線で示す四角内の拡大図である。
【図８】図８は高速伝送中継用シールドコネクタの接触バネ片の動作を説明する図で、（ａ）は正常時、（ｂ）は振動時である。
【図９】図９は特許文献１記載の高速伝送中継用シールドコネクタと同じようなコネクタの斜視図である。
【図１０】図１０は、図９に示したシールドコネクタと相手方シールドコネクタが嵌合した状態の高速伝送中継用コネクタを示す斜視図である。
【図１１】図１１は特許文献１記載の高速伝送中継用シールドコネクタの課題を説明する図で、（ａ）は正常時、（ｂ）は振動時である。
【発明を実施するための形態】
【００１５】
以下、大きな振動がシールドシェルに加わっても、その接点がシールドシェル側面部から離れないようにして、シールドシェルに生じる隙間を防止できる本発明に係るシールドコネクタについて図面を用いて説明する。
【００１６】
〈本発明に係る通信用シールドコネクタ〉
図１〜図３は本発明に係るシールドコネクタと相手方シールドコネクタとが嵌合した状態の通信用シールドコネクタの斜視図で、図１はシールドコネクタ側から見た斜視図、図２は相手方シールドコネクタ側から見た斜視図、図３は通信用シールドコネクタの嵌合前のシールドコネクタと相手方シールドコネクタの斜視図（ａ）と、（ａ）のコネクタハウジング１１から接触バネ片用ストッパ１１Ｌを除去して描いたシールドコネクタの部分斜視図（ｂ）である。
図１〜図３において、３０は本発明に係るシールドコネクタで、このシールドコネクタ３０は、シールドコネクタ１０と、このシールドコネクタ１０と嵌合する相手方コネクタ２０とから構成される。以下、シールドコネクタ１０と相手方コネクタ２０についてそれぞれ説明する。
【００１７】
〈シールドコネクタ１０の構成〉
シールドコネクタ１０はコネクタハウジング１１とこのコネクタハウジング１１を被蔽するシールドシェル１２とから構成される。以下、コネクタハウジング１１とシールドシェル１２についてそれぞれ説明する。
【００１８】
《コネクタハウジング１１の構成》
コネクタハウジング１１は内部に空間１１Ｈ（図３）が形成されており、この空間内１１Ｈにコネクタ金属端子が収納され、このコネクタ金属端子にワイヤハーネスが接続されて、コネクタハウジング１１の後方（相手方コネクタ２０の反対側）から外部に取り出される。相手方コネクタ２０（図３）の先端が空間１１Ｈ内に挿入されることで、端子同士の接続が行われる。
コネクタハウジング１１には、シールドシェル１２の接触バネ片１２Ｓ（図３）が相手方シールドコネクタ２０のシールドシェル２２と接触できるように、コネクタハウジング１１の接触バネ片１２Ｓの部位近傍に開口が形成されている。
そして、後述する接触バネ片用ストッパ１１Ｌが接触バネ片１２Ｓの可動範囲内に本発明によって設けられている。
【００１９】
《シールドシェル１２の構成》
シールドシェル１２は、従来のシールドシェル１２０（図９）と同じ構成で、１枚の金属板を打ち抜き・曲げ加工することで、コネクタハウジング１１の外形に沿うように形成されている。図３（ｂ）において、シールドシェル１２は、金属板をコ字状（１２Ｋ）に打ち抜き（ただし、１辺はシールドシェル１２の端部まで達し、他辺は連結部Ｓ１を残している。）、打ち抜かれない一辺を曲折部として打ち抜かれら三辺を内側に曲げて、接触バネ片１２Ｓを形成し、その先端の接点Ｓ２を嵌合時の相手方コネクタ２０のシールドシェル２２の側面部２２Ｓに接触させるようにしている。すなわち、接触バネ片１２Ｓの下部切欠き１２Ｋ１が連結部Ｓ１まで延び、連結部Ｓ１がシールドシェル１２の下辺端部１２Ｕの先端と連結する構成となっていることで、シールドシェル下辺端部１２Ｕが方持ち支持を形成し、連結部Ｓ１が方持ち支持の自由端となり、接触バネ片１２Ｓは自由端である連結部Ｓ１からさらに方持ち支持されている構成となる。したがって、接触バネ片１２Ｓは金属板材料自体の持つ弾性により接触バネとしての機能を備えることとなる。
この接触バネ片１２Ｓは、嵌合時にコネクタハウジング１１の前述の開口を介して相手方シールドコネクタ２０のシールドシェル２２の側面部２２Ｓと接触するのに寄与する。
【００２０】
〈相手方シールドコネクタ２０の構成〉
相手方シールドコネクタ２０（図３）はコネクタハウジング２１とこのコネクタハウジング２１を被蔽するシールドシェル２２とから構成される。コネクタハウジング２１には内部にコネクタ金属端子が収納され、その金属端子にワイヤハーネスが接続されて、コネクタハウジング２１０後方（シールドコネクタ１０の反対側）から外部に取り出される。コネクタハウジング２１の先端（シールドコネクタ１０側）はコネクタハウジング１１の内部空間１１０Ｈ内に挿入できる形状となっている。相手方シールドコネクタ２０がシールドコネクタ１０と嵌合したとき、シールドシェル２２の側面部２２Ｓはコネクタハウジング１１に形成されている開口を介してシールドシェル１２の接触バネ片１２Ｓと接触して、相手方シールドコネクタ２０側の帯電電荷が接触バネ片１２Ｓを介してシールドシェル１２の外部へ放電するようになる。
【００２１】
〈本発明に係る接触バネ片用ストッパ１１Ｌ〉
図４〜図６は本発明に係る接触バネ片用ストッパ１１Ｌの構成を説明する図で、図４は図１に示すシールドコネクタの側面図、図５は図４のＡ−Ａ矢視図、図６は図５の側面から見た斜視図である。図４〜図６において、３０はシールドコネクタで、シールドコネクタ１０と相手方コネクタ２０とから構成され、シールドコネクタ１０はコネクタハウジング１１とシールドシェル１２とから構成され、シールドシェル１２には接触バネ片１２Ｓが形成されている。
そしてコネクタハウジング１１には本発明に係る接触バネ片用ストッパ１１Ｌが形成されている。接触バネ片用ストッパ１１Ｌはコネクタハウジング１１から横方向（コネクタ嵌合方向に対して直角な方向）に立設され横断面で見てカギ状部材に形成されている。言い換えれば、コネクタハウジング１１を含めると横断面で見てコ字状部材となっている。
すなわち、接触バネ片用ストッパ１１Ｌはコネクタハウジング１１の嵌合方向の前方端部から直角方向に外側に延びて接触バネ片１２Ｓの連結部Ｓ１である自由端側を越えて所定距離の位置で接触バネ片１２Ｓ側に向いたストッパ部Ｌ１（図８）をコネクタハウジング面と平行に形成して成る。したがって、コネクタハウジング１１とストッパ部Ｌ１との間で方持ち状接触バネ片１２Ｓの連結部（自由端）Ｓ１の移動が拘束されている。
この接触バネ片用ストッパ１１Ｌはコネクタハウジング１１の両側面に形成されている。
【００２２】
〈接触バネ片用ストッパ１１Ｌの機能〉
図７は図６の点線で示す四角内の拡大図、図８は図７の接触バネ片用ストッパ１１Ｌの機能を説明する図で、（ａ）は接触バネ片が振動を受けていない正常時、（ｂ）は振動時である。
《（ａ）の正常時》
図８（ａ）において、シールドシェル１２の接触バネ片１２Ｓの先端の接点Ｓ２はシールドシェル２２に接触し、少々の振動では接点Ｓ２は接触バネ片１２Ｓの弾性力によりシールドシェル２２から離れることはなく常にシールドシェル側面部２２Ｓに接触している。
《（ｂ）の振動時》
ところが、大きな振動Ｐがシールドシェル１２に加わると、図８（ｂ）のように、シールドシェル１２の接触バネ片１２Ｓが大きく外側に向けて振れようとし、したがってその自由端Ｓ１も外側に向けて振れるが、自由端Ｓ１は接触バネ片用ストッパ１１Ｌのカギ部Ｌ１に当接してそれ以上の振れを制止され、反対側先端の接点Ｓ２はシールドシェル２２から離れることがない。
【００２３】
〈本発明の効果〉
このように、本発明によれば、接触バネ片用ストッパ１１Ｌにより接触バネ片１２Ｓの接点Ｓ２がシールドシェル２２から離れることがないので、高速伝送中継用コネクタ３０（図１、図２）の内部に発生した帯電電荷は常に接触バネ片１２Ｓを介してシールドシェル１２からアースへ除去されるため、高速伝送中継用コネクタ３０の内部に電荷が溜まらず、したがったまた電荷が内部で移動することも起こりえず、ノイズ特性が劣化することはない。
【符号の説明】
【００２４】
１０  シールドコネクタ
１１  コネクタハウジング
１１Ｈ  コネクタハウジング内部空間
１１Ｌ  接触バネ片用ストッパ
１２  シールドシェル
１２Ｋ  コ字状打ち抜き部位
１２Ｋ１  下部切欠き
１２Ｓ  接触バネ片
１２Ｕ  シールドシェル下辺端部
２０  相手方シールドコネクタ
２１  コネクタハウジング
２２  シールドシェル
２２Ｓ  シールドシェル側面部
３０  嵌合した高速伝送中継用シールドコネクタ
Ｓ１  連結部（接触バネ片自由端）
Ｓ２  接触バネ片先端の接点
【図１】
2011049107.tif 000003
【図２】
2011049107.tif 000004
【図３】
2011049107.tif 000005
【図４】
2011049107.tif 000006
【図５】
2011049107.tif 000007
【図６】
2011049107.tif 000008
【図７】
2011049107.tif 000009
【図８】
2011049107.tif 000010
【図９】
2011049107.tif 000011
【図１０】
2011049107.tif 000012
【図１１】
2011049107.tif 000013